(57)【要約】【課題】  ガス機器でのガス漏れを直ちにかつ確実に検知し、ガス漏れに的確に対処することができるようにする。【解決手段】  この発明のガス漏れ監視装置は、ガス機器でのガス漏れを監視する装置であり、ガス機器１に直結するガス配管１１の外部に配置され、そのガス配管１１内にガスが流れているときそのガス流を検出するガス流検出手段２と、ガス機器１が使用されガスが燃焼しているときそのガス燃焼を検出するガス燃焼検出手段３と、ガス流検出手段２によってガス流が検出され、かつガス燃焼検出手段３によってガスの燃焼が検出されていない場合に、ガス漏れが発生していると判定し報知するガス漏れ判定報知手段４と、を備えることを特徴としている。【選択図】  図１
2006189283.tif 000002
【特許請求の範囲】
【請求項１】
ガス機器でのガス漏れを監視するガス漏れ監視装置において、
上記ガス機器に直結するガス配管の外部に配置され、そのガス配管内にガスが流れているときそのガス流を検出するガス流検出手段と、
上記ガス機器が使用されガスが燃焼しているときそのガス燃焼を検出するガス燃焼検出手段と、
上記ガス流検出手段によってガス流が検出され、かつガス燃焼検出手段によってガスの燃焼が検出されていない場合に、ガス漏れが発生していると判定し報知するガス漏れ判定報知手段と、
を備えることを特徴とするガス漏れ監視装置。
【請求項２】
上記ガス流検出手段は低周波マイクロホンである、請求項１に記載のガス漏れ監視装置。
【請求項３】
上記ガス燃焼検出手段は、ガス機器の上方に配置されて火炎の光を検出する光検出センサである、請求項１または２に記載のガス漏れ監視装置。
【発明の詳細な説明】
【技術分野】
【０００１】
本発明は、ガス機器でのガス漏れを監視するガス漏れ監視装置に関するものである。
【背景技術】
【０００２】
従来、ガス漏れ警報装置を用いてガス機器でのガス漏れを検知するようにしている。このガス漏れ警報装置は、通常ガスセンサを用いてＬＰＧやブタンガスを検知している（特許文献１参照）。
【特許文献１】特開２００４−１４５８２４号公報
【０００３】
しかし、上記のように、ガスセンサを用いる場合、漏洩ガスがガスセンサに速やかに到達すれば問題はないが、空気の流れやセンサの設置位置の影響を受けて検知するまでに時間を要することがあり、必ずしもリアルタイムな検知が可能とは言えなかった。
【０００４】
また、殺虫剤などの噴霧ガスにも反応して誤動作を行うこともあり、検知が確実ではなかった。
【発明の開示】
【発明が解決しようとする課題】
【０００５】
この発明は上記に鑑み提案されたもので、ガス機器でのガス漏れを直ちにかつ確実に検知し、ガス漏れに的確に対処することができるガス漏れ監視装置を提供することを目的とする。
【課題を解決するための手段】
【０００６】
上記目的を達成するために、請求項１に記載の発明は、ガス機器でのガス漏れを監視するガス漏れ監視装置において、上記ガス機器に直結するガス配管の外部に配置され、そのガス配管内にガスが流れているときそのガス流を検出するガス流検出手段と、上記ガス機器が使用されガスが燃焼しているときそのガス燃焼を検出するガス燃焼検出手段と、上記ガス流検出手段によってガス流が検出され、かつガス燃焼検出手段によってガスの燃焼が検出されていない場合に、ガス漏れが発生していると判定し報知するガス漏れ判定報知手段と、を備えることを特徴としている。
【０００７】
また、請求項２に記載の発明は、上記した請求項１に記載の発明の構成に加えて、上記ガス流検出手段は低周波マイクロホンである、ことを特徴としている。
【０００８】
また、請求項３に記載の発明は、上記した請求項１または２に記載の発明の構成に加えて、上記ガス燃焼検出手段は、ガス機器の上方に配置されて火炎の光を検出する光検出センサである、ことを特徴としている。
【発明の効果】
【０００９】
この発明のガス漏れ監視装置では、ガス流検出手段によってガス流が検出され、かつガス燃焼検出手段によってガスの燃焼が検出されていない場合に、ガス漏れが発生していると判定し報知するようにしている。すなわち、ガス機器にガスが供給されガス機器から流出しているのに燃焼がなされていないのは、ガス漏れであると判定するので、ガス漏れを、直ちに時間遅れがほとんどない状態で、また確実に検知することができ、速やかな対応が要求されるガス漏れに的確に対処することができるようになる。
【発明を実施するための最良の形態】
【００１０】
以下にこの発明の実施の形態を図面に基づいて詳細に説明する。
【００１１】
図１はこの発明のガス漏れ監視装置の全体構成を示す図、図２はこの発明のガス漏れ監視装置のブロック図である。ガス漏れ監視装置は、ガス機器（例えばガスコンロ）１に直結するガス配管１１の外部に配置され、そのガス配管１１内にガスが流れているときそのガス流を検出するガス流検出手段２と、ガス機器１が使用されガスが燃焼しているときそのガス燃焼を検出するガス燃焼検出手段３と、ガス流検出手段２によってガス流が検出され、かつガス燃焼検出手段３によってガスの燃焼が検出されていない場合に、ガス漏れが発生していると判定し報知するガス漏れ判定報知手段４と、を備えている。
【００１２】
上記のガス流検出手段２は、例えば低周波マイクロホンであり、ガス配管１１の外周に添設され、その特性は１０Ｈｚ〜２０ｋＨｚでゲインが−４５ｄＢ（０ｄＢ＝０Ｖ／Ｐａ）＝５．６ｍＶ／Ｐａであって、ガス配管１１内のわずかなガス流れで生じる音を計測可能となっている。
【００１３】
上記のガス燃焼検出手段３は、ガス機器１の上方の、例えば家屋の天井に配置されて火炎の光を検出する光検出センサである。
【００１４】
ガス漏れ判定報知手段４は、図２に示すように、信号処理部４１、ガス流判定部４２、信号処理部４３，燃焼判定部４４、およびガス漏れ判定報知部４５から構成されている。
【００１５】
信号処理部４１は、ガス流検出手段２からの信号に増幅、フィルター等の所定の処理を施し、ガス流判定部４２は、信号処理部４１からの出力信号に基づいてガス流が発生しているか否かの判定を行う。
【００１６】
一方の信号処理部４３は、ガス燃焼検出手段３からの信号に増幅、フィルター等の所定の処理を施し、燃焼判定部４４は、信号処理部４３からの出力信号に基づいて燃焼が発生しているか否かの判定を行う。
【００１７】
そして、ガス漏れ判定報知部４５は、ガス流判定部４２によってガス流が検出され、かつ燃焼判定部４４によってガスの燃焼が検出されていない場合に、ガス漏れが発生していると判定し、ブザーや表示器を用いて報知する。
【００１８】
このように、この発明では、ガス流検出手段２によってガス流が検出され、かつガス燃焼検出手段３によってガスの燃焼が検出されていない場合に、ガス漏れが発生していると判定し報知するようにしている。すなわち、ガス機器１にガスが供給されガス機器１から流出しているのに燃焼がなされていないのは、ガス漏れであると判定するので、ガス漏れを、直ちに時間遅れがほとんどない状態で、また確実に検知することができ、速やかな対応が要求されるガス漏れに的確に対処することができるようになる。
【図面の簡単な説明】
【００１９】
【図１】この発明のガス漏れ監視装置の全体構成を示す図である。
【図２】この発明のガス漏れ監視装置のブロック図である。
【符号の説明】
【００２０】
１  ガス機器
２  ガス流検出手段
３  ガス燃焼検出手段
４  ガス漏れ判定報知手段
１１  ガス配管
４１  信号処理部
４２  ガス流判定部
４３  信号処理部
４３  信号処理部
４４  燃焼判定部
４５  ガス漏れ判定報知部
【図１】
2006189283.tif 000003
【図２】
2006189283.tif 000004